(57)【要約】  本発明は、アルキル基に少なくとも１つの二重結合および８〜４０個の炭素原子を有する（メタ）アクリレートから誘導された１〜３０質量％の単位と、酸基を含むモノマーから誘導された１〜１０質量％の単位と、アルキル基に１〜６個の炭素原子を有する（メタ）アクリレートから誘導された５０〜９８．９質量％の単位とを含む少なくとも１つの（メタ）アクリレートセグメントを含む乳化重合体（各質量百分率は、（メタ）アクリレートセグメントの質量に関する）に関する。本発明によると、乳化重合体は少なくとも５０ｎｍの粒子半径を有する。【特許請求の範囲】
【請求項１】
アルキル基に少なくとも１つの二重結合および８〜４０個の炭素原子を有する（メタ）アクリレートから誘導された１質量％〜３０質量％の単位と、
酸基含有モノマーから誘導された０．１質量％〜１０質量％の単位と、
アルキル基に１〜６個の炭素原子を有する（メタ）アクリレートから誘導された５０質量％〜９８．９質量％の単位とを、それぞれの場合において（メタ）アクリレートセグメントの質量に対して含む少なくとも１つの（メタ）アクリレートセグメントを含む乳化重合体であって、少なくとも５０ｎｍの粒子半径を有することを特徴とする、乳化重合体。
【請求項２】
（メタ）アクリレートセグメントが、コモノマーから誘導された２質量％〜３０質量％の単位を（メタ）アクリレートセグメントの質量に対して含むことを特徴とする、請求項１に記載の乳化重合体。
【請求項３】
５〜４０ｇ／１００ｇ乳化重合体の範囲のヨウ素価を有することを特徴とする、請求項１または２に記載の乳化重合体。
【請求項４】
アルキル基に少なくとも１つの二重結合および８〜４０個の炭素原子を有する（メタ）アクリレートが、少なくとも１つの不飽和脂肪酸と、アルコール残基に少なくとも１つの反応性基を有する少なくとも１つの（メタ）アクリレートとを反応させることによって得られることを特徴とする、請求項１から３までのいずれか１項に記載の乳化重合体。
【請求項５】
アルコール残基に少なくとも１つの反応性基を有する（メタ）アクリレートが、ヒドロキシアルキル（メタ）アクリレートまたは少なくとも１つのエポキシ基を有する（メタ）アクリレートであることを特徴とする、請求項４に記載の乳化重合体。
【請求項６】
アルキル基に少なくとも１つの二重結合および８〜４０個の炭素原子を有する（メタ）アクリレートが、不飽和脂肪酸とグリシジル（メタ）アクリレートとを反応させることによって得られることを特徴とする、請求項４または５に記載の乳化重合体。
【請求項７】
（メタ）アクリレートセグメントが、（メタ）アクリロイルオキシ−２−ヒドロキシプロピル−リノール酸エステル、（メタ）アクリロイルオキシ−２−ヒドロキシプロピル−リノール酸エステルおよび／または（メタ）アクリロイルオキシ−２−ヒドロキシプロピル−オレイン酸エステルから誘導された単位を含むことを特徴とする、請求項１から６までのいずれか１項に記載の乳化重合体。
【請求項８】
（メタ）アクリロイルオキシ−２−ヒドロキシプロピル−オレイン酸エステルから誘導された単位に対する、（メタ）アクリロイルオキシ−２−ヒドロキシプロピル−リノール酸エステルから誘導された単位の質量比が、１以上であることを特徴とする、請求項７に記載の乳化重合体。
【請求項９】
（メタ）アクリレートセグメントが、（メタ）アクリロイルオキシ−２−ヒドロキシプロピル−リノール酸エステルから誘導された少なくとも４０質量％の単位を、アルキル基に少なくとも１つの二重結合および８〜４０個の炭素原子を有する（メタ）アクリレートから誘導された単位の質量に対して含むことを特徴とする、請求項７または８に記載の乳化重合体。
【請求項１０】
（メタ）アクリレートセグメントが、（メタ）アクリロイルオキシ−２−ヒドロキシプロピル−リノール酸エステルから誘導された４５質量％〜８０質量％の単位を、アルキル基に少なくとも１つの二重結合および８〜４０個の炭素原子を有する（メタ）アクリレートから誘導された単位の質量に対して含むことを特徴とする、請求項９に記載の乳化重合体。
【請求項１１】
（メタ）アクリレートセグメントが、（メタ）アクリロイルオキシ−２−ヒドロキシプロピル−オレイン酸エステルから誘導された少なくとも１０質量％の単位を、アルキル基に少なくとも１つの二重結合および８〜４０個の炭素原子を有する（メタ）アクリレートから誘導された単位の質量に対して含むことを特徴とする、請求項８から１０までのいずれか１項に記載の乳化重合体。
【請求項１２】
（メタ）アクリレートセグメントが、（メタ）アクリロイルオキシ−２−ヒドロキシプロピル−オレイン酸エステルから誘導された１５質量％〜４５質量％の単位を、アルキル基に少なくとも１つの二重結合および８〜４０個の炭素原子を有する（メタ）アクリレートから誘導された単位の質量に対して含むことを特徴とする、請求項１１に記載の乳化重合体。
【請求項１３】
（メタ）アクリレートセグメントが、スチレン、側鎖にアルキル置換基を有する置換スチレン、環上にアルキル置換基を有する置換スチレンおよび／またはハロゲン化スチレンから誘導された３０質量％を超えない単位を（メタ）アクリレートセグメントの質量に対して含むことを特徴とする、請求項１から１２までのいずれか１項に記載の乳化重合体。
【請求項１４】
（メタ）アクリレートセグメントが、飽和脂肪酸と、アルコール残基に反応性基を有する少なくとも１つの（メタ）アクリレートとを反応させることによって得られる（メタ）アクリレートから誘導された１０質量％を超えない単位を（メタ）アクリレートセグメントの質量に対して含むことを特徴とする、請求項１から１３までのいずれか１項に記載の乳化重合体。
【請求項１５】
（メタ）アクリレートセグメントが、飽和脂肪酸と、アルコール残基に反応性基を有する少なくとも１つの（メタ）アクリレートとを反応させることによって得られる（メタ）アクリレートから誘導された０．１質量％〜３質量％の単位を（メタ）アクリレートセグメントの質量に対して含むことを特徴とする、請求項１４に記載の乳化重合体。
【請求項１６】
飽和脂肪酸が、１０〜２６個の炭素原子を有することを特徴とする、請求項１４または１５に記載の乳化重合体。
【請求項１７】
（メタ）アクリレートが、飽和脂肪酸とグリシジル（メタ）アクリレートとを反応させることによって得られることを特徴とする、請求項１４から１６までのいずれか１項に記載の水性分散液。
【請求項１８】
（メタ）アクリレートセグメントが、コア上にグラフトされるか、またはコア上に重合されていることを特徴とする、請求項１から１７までのいずれか１項に記載の乳化重合体。
【請求項１９】
コアが、（メタ）アクリレートから誘導された５０質量％〜１００質量％の単位を含むことを特徴とする、請求項１８に記載の乳化重合体。
【請求項２０】
コアが、アクリレートから誘導された単位およびメタクリレートから誘導された単位を含むことを特徴とする、請求項１８または１９に記載の乳化重合体。
【請求項２１】
コアが、架橋されていることを特徴とする、請求項１８から２０までのいずれか１項に記載の乳化重合体。
【請求項２２】
（メタ）アクリレートセグメントが、アルキル基に少なくとも１つの二重結合および８〜４０個の炭素原子を有する（メタ）アクリレートから誘導された１５質量％〜２８質量％の単位を含むことを特徴とする、請求項１８から２１までのいずれか１項に記載の乳化重合体。
【請求項２３】
（メタ）アクリレートセグメントが、酸基含有モノマーから誘導された１質量％〜５質量％の単位を（メタ）アクリレートセグメントの全質量に対して含むことを特徴とする、請求項１から２２までのいずれか１項に記載の乳化重合体。
【請求項２４】
（メタ）アクリレートセグメントが、アルキル基に少なくとも１つの二重結合および８〜４０個の炭素原子を有する（メタ）アクリレートから誘導された１０質量％〜２０質量％の単位を（メタ）アクリレートセグメントの全質量に対して含むことを特徴とする、請求項１から２３までのいずれか１項に記載の乳化重合体。
【請求項２５】
（メタ）アクリレートセグメントが、アクリレートから誘導された単位およびメタクリレートから誘導された単位を含むことを特徴とする、請求項１から２４までのいずれか１項に記載の乳化重合体。
【請求項２６】
乳化重合体の２質量％〜６０質量％が２０℃でテトラヒドロフランに可溶であることを特徴とする、請求項１から２５までのいずれか１項に記載の乳化重合体。
【請求項２７】
２０℃にてテトラヒドロフラン（ＴＨＦ）中で少なくとも１０００％の膨潤度を示すことを特徴とする、請求項１から２６までのいずれか１項に記載の乳化重合体。
【請求項２８】
請求項１から２７までのいずれか１項に記載の乳化重合体を含む水性分散液。
【請求項２９】
１〜８０ｍＰａｓの範囲の動粘度を有することを特徴とする、請求項２８に記載の水性分散液。
【請求項３０】
２０質量％〜６０質量％の範囲の固形分を有することを特徴とする、請求項２８または２９に記載の水性分散液。
【請求項３１】
水相およびモノマー含有相を含む混合物を製造し、モノマー含有相のモノマーを重合することを特徴とする、請求項２８から３０までのいずれか１項に記載の水性分散液を製造するための方法であって、
アルキル基に少なくとも１つの二重結合および８〜４０個の炭素原子を有する１質量％〜３０質量％の（メタ）アクリレートと、
０．１〜１０質量％の酸基含有モノマーと、
アルキル基に１〜６個の炭素原子を有する５０質量％〜９８．９質量％の（メタ）アクリレートと
を含むモノマー混合物を使用することを特徴とする水性分散液を製造するための方法。
【請求項３２】
モノマー混合物が、１質量％〜５質量％の酸基含有モノマーを含むことを特徴とする、請求項３１に記載の方法。
【請求項３３】
アルキル基に少なくとも１つの二重結合および８〜４０個の炭素原子を有する１０質量％〜２０質量％の（メタ）アクリレートを含むモノマー混合物を使用することを特徴とする、請求項３１または３２に記載の方法。
【請求項３４】
第１に、アルキル基に１〜６個の炭素原子を有する５０質量％〜１００質量％の（メタ）アクリレートを含むモノマー混合物を用いてコアを製造することを特徴とする、請求項３１から３３までのいずれか１項に記載の方法。
【請求項３５】
コアを製造するためのモノマー混合物が、アクリレートおよびメタクリレートを含むことを特徴とする、請求項３４に記載の方法。
【請求項３６】
アルキル基に少なくとも１つの二重結合および８〜４０個の炭素原子を有する１５質量％〜２８質量％の（メタ）アクリレートを含むモノマー混合物をコア上にグラフトするか、またはコア上に重合することを特徴とする、請求項３４および３５のいずれかに記載の方法。
【発明の詳細な説明】
【技術分野】
【０００１】
本発明は、乳化重合体、およびこれらの乳化重合体を含む水性分散液に関する。本発明は、さらに、これらの分散液および乳化重合体を製造するための方法に関する。
【０００２】
塗料材料、特にペンキおよびワニスは、長きにわたって合成により製造されてきた。これらの塗料材料の多くは、多塩基酸、アルコールおよび脂肪酸および／または脂肪酸誘導体を使用して製造されるアルキド樹脂と呼ばれるものに基づく。これらのアルキド樹脂の１つの特定のグループは、酸素に曝露されると架橋膜を形成し、架橋は、不飽和基が係わる酸化によって生じる。これらのアルキド樹脂の多くは、樹脂を塗料要素に薄膜で塗布することを可能にするための有機溶媒または分散液媒体を含む。しかし、環境保護や労働上の安全性の理由で、これらの溶媒の使用を中止するべきである。したがって、対応する樹脂が、水性分散液に基づいて開発されたが、それらの保存安定性は限定される。また、多くのアルキド樹脂の吸水性が強すぎ、またはそれらの耐溶剤性もしくはそれらの硬度が低すぎる。よって、以上に概略説明した従来のアルキド系塗料材料を修正または置き換えるための試みが実施された。
【０００３】
例えば、ＵＳ４，０１０，１２６には、（メタ）アクリレート重合体で変性され、後に乳化重合に使用されるアルキド樹脂を含む組成物が開示されている。記載の組成物は、いくつかの工程で製造されるため、記載の樹脂は、製造するのに非常に高コストかつ不便である。
【０００４】
ビニルモノマーに基づく溶液重合体に基づく塗料組成物は、例えば、ＤＥ−Ａ−１０１０６５６１に記載されている。しかし、その組成物は、高比率の有機溶媒を含む。
【０００５】
さらに、（メタ）アクリレート重合体に基づく水性分散液も知られている。例えば、文献ＤＥ−Ａ−４１０５１３４には、塗料材料にバインダとして使用できる水性分散液が記載されている。しかし、それらのバインダの製造は、数段階で実施され、最初に溶液重合体が製造され、それが中和後に乳化重合に使用される。
【０００６】
また、ＤＥ−Ａ−２５１３５１６には、（メタ）アクリレートの一部が不飽和アルコール残基を含む（メタ）アクリレートに基づく重合体を含む水性分散液が記載されている。記載の分散液の特別の短所は、それらの製造が高コストかつ不便であることであり、重合体は、溶液重合により（メタ）アクリレートに基づいて得られる。その場合、これらの重合体は、溶液重合体に対して５質量％〜２０質量％の範囲の高比率の酸基を有する。
【０００７】
文献ＤＥ−Ａ−２６３８５４４には、使用される（メタ）アクリレートの一部が不飽和アルコール残基を有する（メタ）アクリレートに基づく乳化重合体を含む酸化性乾燥水性分散液が記載されている。しかし、乳化重合体を製造するために連鎖移動剤が使用されているため、乳化重合体の溶解度が高い。
【０００８】
また、酸化性乾燥重合体を含む水性分散液は、Ｆ．−Ｂ．Ｃｈｅｎ，Ｇ．Ｂｕｆｋｉｎ，"Ｃｒｏｓｓｌｉｎｋａｂｌｅ  Ｅｍｕｌｓｉｏｎ  Ｐｏｌｙｍｅｒｓ  ｂｙ  Ａｕｔｏｏｘｉｄａｔｉｏｎ  ＩＩ"，Ｊｏｕｒｎａｌ  ｏｆ  Ａｐｐｌｉｅｄ  Ｐｏｌｙｍｅｒ  Ｓｃｉｅｎｃｅ，Ｖｏｌ．３０，４５５１−４５７０（１９８５）に記載されている。該重合体は、不飽和長鎖アルコール残基を有する（メタ）アクリレートから誘導された２質量％〜８質量％の単位を含む。しかし、これらの重合体は、酸基を含むモノマーの重合によって得られた単位を含まない。多くの用途について、これらの分散液の保存寿命および塗料の硬度が不十分である。
【０００９】
さらに、文献ＵＳ５，７５０，７５１には、室温で架橋することが可能なビニルモノマー系重合体が記載されている。該重合体を溶液重合および乳化重合の両方によって得ることができる。重合のためのモノマー混合物は、そのアルコール残基が不飽和脂肪酸で変性された（メタ）アクリレート等を含むことができる。変性（メタ）アクリレートの溶液重合および乳化重合によって得られた重合体は、連鎖移動剤が使用されるため、高い溶解性を示す。しかし、ＵＳ５，７５０，７５１に記載の塗料材料の短所は、環境上の理由により回避すべきである可塑化溶媒を添加する必要があることである。
【００１０】
この点における改善は、文献ＥＰ−Ａ−１−０４４９９３の教示を通じて達成される。この文献には、（メタ）アクリレートに基づく水性分散液が記載されている。重合のための混合物は、不飽和脂肪酸によって変性された（メタ）アクリレートを含む。この溶液の重要な側面は、分子量の数平均が３００〜３０００ｇ／ｍｏｌの範囲内にある特に広い分子量分布を有する重合体の使用である。しかし、これらの系の短所は、得られた膜が多くの用途にとって軟質すぎることである。
【００１１】
さらに、文献ＷＯ２００６／０１３０６１には、（メタ）アクリレートに基づく粒子を含む分散液が記載されている。該粒子を製造するのに使用されるモノマー混合物は、不飽和脂肪酸によって変性された（メタ）アクリレートを含む。しかし、実施例では、酸基を含むモノマーが重合されていない。また、不飽和脂肪酸で変性された（メタ）アクリレートの比率が非常に高い。ＷＯ２００６／０１３０６１に記載されている分散液の短所は、特に、それらの製造が複雑であること、および残留モノマーの比率が高いことである。この文献には、可溶性乳化重合体の最小比率が記載されていない。
【００１２】
また、先行技術には、（メタ）アクリレートに基づく重合体の他にアルキド樹脂を含むこともできる分散液も開示されている。文献ＷＯ９８／２２５４５には、例えば、不飽和アルコール残基を有する（メタ）アクリレートから誘導された単位を有する重合体が記載されている。これらの重合体をアルキド樹脂とともに使用することができる。しかし、記載の重合体から塗料材料を製造するために溶媒が使用される。ＷＯ９８／２２４３４には、水性分散液が記載されていない。よって、これらの組成物は、上記短所によって阻害される。
【００１３】
また、日本国公開ＪＰ５９０１１３７６には、（メタ）アクリレートに基づく乳化重合体が記載されている。該分散液は、約４０％の固形分では、少なくとも２００ｍＰａｓの動粘度を有する。この文献には粒径が特定されていない。しかし、分散液の粘度が高いために、乳化重合体は、４０ｎｍ未満の粒径を有するものと想定することができる。この文献に記載されている分散液の短所は、それらの保存寿命が短いことである。
【００１４】
そこで、先行技術に鑑み、本発明の目的は、優れた特性を有する塗料材料および塗料に加工することができる乳化重合体を提供することである。特に、分散液および乳化重合体は、残留モノマー含有量が非常に小さくなければならない。したがって、また、本発明の目的は、特に長い貯蔵および保存寿命を有する分散液を提供することであった。また、乳化重合体を有する塗料材料から得られる塗料の硬度を広範に変化させることを目的とする。特に、目的は、特に硬質の引っ掻き抵抗性の塗料を得ることを可能にすることであった。揮発性有機溶媒を含まない塗料材料を得るために使用することができる乳化重合体の提供にさらなる目的を見いだすことができる。水性分散液から得られる塗料は、高い耐候安定性、特に高いＵＶ安定性を有することが必要である。また、水性分散液から得られる膜は、短時間の後の低接着力を特徴とする必要がある。
【００１５】
これらの目的、および明記されていないが、序論に記載されている状況から容易に推断または推論可能な他の目的は、請求項１のすべての特徴を有する乳化重合体によって達成される。本発明の乳化重合体の適切な変更が従属請求項に保護されている。
【００１６】
したがって、本発明は、アルキル基に少なくとも１つの二重結合および８〜４０個の炭素原子を有する（メタ）アクリレートから誘導された１質量％〜３０質量％の単位と、
酸基含有モノマーから誘導された０．１質量％〜１０質量％の単位と、
アルキル基に１〜６個の炭素原子を有する（メタ）アクリレートから誘導された５０質量％〜９８．９質量％の単位とを、それぞれの場合において（メタ）アクリレートセグメントの質量に対して含む少なくとも１つの（メタ）アクリレートセグメントを含む乳化重合体であって、少なくとも５０ｎｍの粒子半径を有することを特徴とする、乳化重合体を提供する。
【００１７】
本発明による手段を通じて、以下を含む利点を得ることがさらに可能である。
【００１８】
本発明の分散液および乳化重合体は、残留モノマー含有量が非常に小さい。
【００１９】
本発明の乳化重合体を有する分散液から得られる塗料の硬度を広範囲に変化させることができる。１つの適切な実施形態において、本発明によれば、特に硬い耐引っ掻き性の塗料を得ることが可能である。本発明の分散液および乳化重合体から得られる塗料は、特に、メチルイソブチルケトン（ＭＩＢＫ）またはエタノールを用いた試験で証明される驚くほど高い耐溶剤性を示す。例えば、得られた塗料は、特に、ＤＩＮ６８８６１−１調度試験による実験において優れた等級を示す。この場合、結果的に塗料を不可逆的に損傷させずに、非極性溶媒、特に洗浄用ベンジンで塗料を洗浄することがさらに可能である。
【００２０】
本発明の乳化重合体を使用して得られる塗料材料は、一般には、揮発性有機溶媒を必要としない。また、本発明の分散液は、高い貯蔵安定性、長い保存寿命および非常に良好な貯蔵特性を示す。特に、実質的に凝集物が形成されない。
【００２１】
該水性分散液から得られる塗料は、高い耐候安定性、特に高いＵＶ安定性を示す。また、該水性分散液から得られる膜は、短時間の後の低接着力を特徴とする。また、本発明の塗料材料は、高い湿性膜安定性および長い開放時間を示す。
【００２２】
また、多くの基板上において、本発明の分散液から得られる塗料は、特に高い接着強度、耐摩耗性および耐久性を示す。好適な塗料、および本発明の塗料で塗装された基板を、塗料亀裂をもたらさずに特に高い機械的負荷に曝すことができる。
【００２３】
本発明の分散液および乳化重合体を安価に大規模に製造することができる。本発明の分散液および乳化重合体は、環境に優しく、安全に、かつ大きなコストおよび複雑さを伴わずに製造および加工され得る。この点において、本発明の分散液は、非常に高い剪断安定性を示す。
【００２４】
本発明の乳化重合体は、少なくとも１つの（メタ）アクリレートセグメントを含む。「乳化重合体」という表現は、本明細書において、乳化重合によって得ることができる高分子化合物を指す。「セグメント」という用語は、乳化重合体が、反復（メタ）アクリレート単位を有する少なくとも１つの部分を含むことを示す。この点において、乳化重合体は、そのように構成された１つのセグメントで構成されていてもよいし、さらなるセグメントを有していてもよい。乳化重合体を、好ましくは、遊離基付加重合によって得ることができる。
【００２５】
よって、単位の質量比率は、重合体を製造するのに使用される、対応するモノマーの質量比率の積である。（メタ）アクリレートセグメントの質量比率は、乳化重合体の質量に対して、好ましくは少なくとも１０質量％、より好ましくは少なくとも２０質量％である。乳化重合体は、好ましくは少なくとも４０質量％、より好ましくは少なくとも６０質量％、非常に好ましくは少なくとも９０質量％の（メタ）アクリレートを含む。
【００２６】
（メタ）アクリレートセグメントは、アルキル基に少なくとも１つの二重結合および８〜４０個の炭素原子を有する（メタ）アクリレートから誘導された１〜３０質量％、好ましくは５質量％〜２５質量％、より好ましくは１０質量％〜２０質量％の単位を（メタ）アクリレートセグメントの全質量に対して含む。
【００２７】
（メタ）アクリレートという表現は、メタクリレートおよびアクリレートならびにその両方の混合物を包含する。アルキル基に少なくとも１つの二重結合および８〜４０個の炭素原子を有する（メタ）アクリレートは、そのアルコール残基が少なくとも１つの二重結合および８〜４０個の炭素原子を有する（メタ）アクリル酸のエステルである。アルキル基またはアルコール残基は、好ましくは１０〜３０個、より好ましくは１２〜２０個の炭素原子を含むことができ、この基は、ヘテロ原子、特に酸素、窒素または硫黄原子を含むことが可能である。アルコール残基は、１つ、２つまたは３つ以上の二重結合を有することができる。乳化重合体が製造される重合条件は、好ましくは、重合中に保持されるアルコール残基の二重結合の比率を最大にするように選択される。これを、例えば、アルコール残基に存在する二重結合を立体阻害することによって行うことができる。
【００２８】
乳化重合体を製造するために使用され、アルキル基に少なくとも１つの２重結合および８〜４０個の炭素原子を含む（メタ）アクリレートのヨウ素価は、（メタ）アクリレート１００ｇ当たりヨウ素が好ましくは少なくとも４０ｇ、より好ましくは少なくとも８０ｇ、非常に好ましくは少なくとも１４０ｇである。
【００２９】
この種の（メタ）アクリレートは、概して、式（Ｉ）
【化１】
2010540762.tif 000002
［式中、
基Ｒは、水素またはメチルを表し、
Ｒ1は、少なくとも１つの二重結合を含む、８〜４０個の炭素原子を有する直鎖状または分枝状基を表す］に従う。
【００３０】
アルキル基に少なくとも１つの二重結合および８〜４０個の炭素原子を有する（メタ）アクリレートを、例えば、（メタ）アクリル酸のエステル化、ハロゲン化（メタ）アクリロイルの反応、（メタ）アクリレートと少なくとも１つの二重結合および８〜４０個の炭素原子を有するアルコールとのエステル交換によって得ることができる。これらの反応は、例えば、Ｕｌｌｍａｎｎ’ｓ  Ｅｎｃｙｃｌｏｐａｅｄｉａ  ｏｆ  Ｉｎｄｕｓｔｒｉａｌ  Ｃｈｅｍｉｓｔｒｙ，５ｔｈ  ｅｄｉｔｉｏｎ  ｏｎ  ＣＤ−ＲＯＭまたはＦ．−Ｂ．Ｃｈｅｎ，Ｇ．Ｂｕｆｋｉｎ，"Ｃｒｏｓｓｌｉｎｋａｂｌｅ  Ｅｍｕｌｓｉｏｎ  Ｐｏｌｙｍｅｒｓ  ｂｙ  Ａｕｔｏｏｘｉｄａｔｉｏｎ  ＩＩ"，Ｊｏｕｒｎａｌ  ｏｆ  Ａｐｐｌｉｅｄ  Ｐｏｌｙｍｅｒ  Ｓｃｉｅｎｃｅ，Ｖｏｌ．３０，４５７１−４５８２（１９８５）に記載されている。
【００３１】
この目的に好適なアルコールとしては、オクテノール、ノネノール、デセノール、ウンデセノール、ドデセノール、トリデセノール、テトラデセノール、ペンタデセノール、ヘキサデセノール、ヘプタデセノール、オクタデセノール、ノナデセノール、エイコセノール、ドコセノール、オクタン−ジエン−オール、ノナン−ジエン−オール、デカン−ジエン−オール、ウンデカン−ジエン−オール、ドデカン−ジエン−オール、トリデカン−ジエン−オール、テトラデカン−ジエン−オール、ペンタデカン−ジエン−オール、ヘキサデカン−ジエン−オール、ヘプタデカン−ジエン−オール、オクタデカン−ジエン−オール、ノナデカン−ジエン−オール、エイコサン−ジエン−オールおよび／またはドコサン−ジエン−オール等が挙げられる。これらの所謂脂肪アルコールは、場合によっては商業的に入手可能であり、または脂肪酸から得ることが可能であり、その反応は、例えば、Ｆ．−Ｂ．Ｃｈｅｎ，Ｇ．Ｂｕｆｋｉｎ，Ｊｏｕｒｎａｌ  ｏｆ  Ａｐｐｌｉｅｄ  Ｐｏｌｙｍｅｒ  Ｓｃｉｅｎｃｅ，Ｖｏｌ．３０，４５７１−４５８２（１９８５）に記載されている。
【００３２】
この方法によって得られる好適な（メタ）アクリレートとしては、特に、オクタデカン−ジエン−イル（メタ）アクリレート、オクタデカン−トリエン−イル（メタ）アクリレート、ヘキサデセニル（メタ）アクリレート、オクタデセニル（メタ）アクリレートおよびヘキサデカン−ジエン−イル（メタ）アクリレートが挙げられる。
【００３３】
また、アルキル基に少なくとも１つの二重結合および８〜４０個の炭素原子を有する（メタ）アクリレートを、不飽和脂肪酸と、アルコール残基に反応性基を有する（メタ）アクリレートとを反応させることによって得ることもできる。反応性基としては、特に、ヒドロキシル基およびエポキシ基が挙げられる。よって、例えば、３−ヒドロキシプロピル（メタ）アクリレート、３，４−ジヒドロキシブチル（メタ）アクリレート、２−ヒドロキシエチル（メタ）アクリレート、２−ヒドロキシプロピル（メタ）アクリレートなどのヒドロキシアルキル（メタ）アクリレート、２，５−ジメチル−１，６−ヘキサンジオール（メタ）アクリレート、１，１０−デカンジオール（メタ）アクリレート、あるいはグリシジル（メタ）アクリレートを例とするエポキシ基含有（メタ）アクリレートを、前記（メタ）アクリレートを製造するための反応物質として利用することが可能である。
【００３４】
前記（メタ）アクリレートの反応のための好適な脂肪酸は、多くの場合に、商業的に入手可能であり、天然源から得られる。それらの脂肪酸としては、ウンデシレン酸、パルミトレイン酸、オレイン酸、エライジン酸、バクセン酸、エイコセン酸、セトレイン酸、エルシン酸、ネルボン酸、リノール酸、リノレン酸、アラキドン酸、チムノドン酸、イワシ酸および／またはセルボン酸等が挙げられる。
【００３５】
この方法によって得られる好適な（メタ）アクリレートとしては、特に、（メタ）アクリロイルオキシ−２−ヒドロキシプロピル−リノール酸エステル、（メタ）アクリロイルオキシ−２−ヒドロキシプロピル−リノレン酸エステルおよび（メタ）アクリロイルオキシ−２−ヒドロキシプロピル−オレイン酸エステルが挙げられる。
【００３６】
不飽和脂肪酸と、アルコール残基に反応性基を有する（メタ）アクリレートとの反応は、それ自体既知であり、例えば、ＤＥ−Ａ−４１０５１３４、ＤＥ−Ａ−２５１３５１６、ＤＥ−Ａ−２６３８５４４およびＵＳ５，７５０，７５１に記載されている。
【００３７】
以上に記載されている、少なくとも１つの二重結合を有する（メタ）アクリレートを個々に、または２つ以上の（メタ）アクリレートの混合物として使用することができる。
【００３８】
特に、（メタ）アクリロイルオキシ−２−ヒドロキシプロピル−リノール酸エステルから誘導された高比率の単位を含む（メタ）アクリレートセグメントによって驚くべき利点が示される。これにより、特に、比較的高い耐引っ掻き性の耐溶剤性塗料を得ることが可能であり、塗料材料は、特に加工が容易であり、驚くほど高い貯蔵安定性を有する。
【００３９】
これらの利点は、特に、（メタ）アクリロリルオキシ−２−ヒドロキシプロピル−リノール酸エステルから誘導された少なくとも２０質量％、好ましくは少なくとも４０質量％、非常に好ましくは少なくとも５０質量％の単位を、アルキル基に少なくとも１つの二重結合および８〜４０個の炭素原子を有する（メタ）アクリレートから誘導された単位の質量に対して含む（メタ）アクリレートセグメントを用いて得ることが可能である。好ましくは、（メタ）アクリレートセグメントは、（メタ）アクリロイルオキシ−２−ヒドロキシプロピル−リノール酸エステルから誘導された４５質量％〜８０質量％、より好ましくは５５質量％〜７０質量％の単位を、アルキル基に少なくとも１つの二重結合および８〜４０個の炭素原子を有する（メタ）アクリレートから誘導された単位の質量に対して含む。
【００４０】
本発明のさらなる態様によれば、（メタ）アクリロイルオキシ−２−ヒドロキシプロピル−オレイン酸エステルから誘導された少なくとも５質量％、好ましくは少なくとも１０質量％、より好ましくは少なくとも１５質量％の単位を、アルキル基に少なくとも１つの二重結合および８〜４０個の炭素原子を有する（メタ）アクリレートから誘導された単位の質量に対して含む（メタ）アクリレートセグメントが好適である。好ましくは、重合体は、（メタ）アクリロイルオキシ−２−ヒドロキシプロピル−オレイン酸エステルから誘導された１５質量％〜４５質量％、より好ましくは２０質量％〜３５質量％の単位を、アルキル基に少なくとも１つの二重結合および８〜４０個の炭素原子を有する（メタ）アクリレートから誘導された単位の質量に対して含む。
【００４１】
また、（メタ）アクリロイルオキシ−２−ヒドロキシプロピル−オレイン酸エステルから誘導された単位に対する、（メタ）アクリロイルオキシ−２−ヒドロキシプロピル−リノール酸エステルから誘導された単位の質量比が１以上である場合に特別の向上を達成することができ、この質量比は、より好ましくは、８：１〜１：１の範囲であり、特に好ましくは５：１〜３：２である。
【００４２】
また、本発明の乳化重合体の（メタ）アクリレートセグメントは、酸基含有モノマーから誘導された０．１質量％〜１０質量％、好ましくは０．５質量％〜８質量％、より好ましくは１質量％〜５質量％の単位を（メタ）アクリレートセグメントの全質量に対して含む。
【００４３】
酸基含有モノマーは、好ましくは、上記（メタ）アクリレートと遊離基共重合することができる化合物である。例えば、それらのモノマーとしては、例えばビニルスルホン酸などのスルホン酸基を有するモノマー、例えばビニルホスホン酸などのホスホン酸基を有するモノマー、ならびに例えばメタクリル酸、アクリル酸、フマル酸およびマレイン酸などの不飽和カルボン酸が挙げられる。メタクリル酸およびアクリル酸が特に好適である。酸基含有モノマーを個々に、または２つもしくは３つ以上の酸基含有モノマーの混合物として使用することができる。
【００４４】
本発明の乳化重合体の（メタ）アクリレートセグメントは、さらに、アルキル基に１〜６個の炭素原子を有する（メタ）アクリレートから誘導された５０質量％〜９８．９質量％、好ましくは６０質量％〜９５質量％、より好ましくは７０質量％〜９０質量％の単位を（メタ）アクリレートセグメントの全質量に対して含む。
【００４５】
この種の（メタ）アクリレートは、一般には、式（ＩＩ）
【化２】
2010540762.tif 000003
［式中、
基Ｒは、水素またはメチルを表し、
Ｒ2は、１〜６個の炭素原子、好ましくは１〜４個の炭素原子を有する直鎖状または分枝状基を表す］に従う。
【００４６】
これらのモノマーとしては、特に、メチル（メタ）アクリレート、エチル（メタ）アクリレート、ｎ−プロピル（メタ）アクリレート、イソプロピル（メタ）アクリレート、ｎ−ブチル（メタ）アクリレート、ｔｅｒｔ−ブチル（メタ）アクリレートおよびペンチル（メタ）アクリレート、ヘキシル（メタ）アクリレートなどの、飽和アルコールに由来する（メタ）アクリレート；シクロペンチル（メタ）アクリレート、シクロヘキシル（メタ）アクリレートなどのシクロアルキル（メタ）アクリレート；ならびに２−プロピニル（メタ）アクリレート、アリル（メタ）アクリレートおよびビニル（メタ）アクリレートなどの、不飽和アルコールに由来する（メタ）アクリレートが挙げられる。
【００４７】
メタアクリレートおよびアクリレートを含む混合物を使用することが特に好ましい。したがって、特に、メチルメタクリレートと、エチルアクリレート、ブチルアクリレートおよびヘキシルアクリレートなどの、２〜６個の炭素原子を有するアクリレートとの混合物を使用することが可能である。
【００４８】
以上に挙げた単位に加えて、本発明の乳化重合体の（メタ）アクリレートセグメントは、コモノマーから誘導された単位を有することができる。これらのコモノマーは、以上に記載されている乳化重合体の単位と異なるが、上記モノマーと共重合され得る。
【００４９】
例えば、それらのコモノマーとしては、２−エチルヘキシル（メタ）アクリレート、ヘプチル（メタ）アクリレート、２−ｔｅｒｔ−ブチルヘプチル（メタ）アクリレート、オクチル（メタ）アクリレート、３−イソプロピルヘプチル（メタ）アクリレート、ノニル（メタ）アクリレート、デシル（メタ）アクリレート、ウンデシル（メタ）アクリレート、５−メチルウンデシル（メタ）アクリレート、ドデシル（メタ）アクリレート、２−メチルドデシル（メタ）アクリレート、トリデシル（メタ）アクリレート、５−メチルトリデシル（メタ）アクリレート、テトラデシル（メタ）アクリレート、ペンタデシル（メタ）アクリレート、ヘキサデシル（メタ）アクリレート、２−メチルヘキサデシル（メタ）アクリレート、ヘプタデシル（メタ）アクリレート、５−イソプロピルヘプタデシル（メタ）アクリレート、４−ｔｅｒｔ−ブチルオクタデシル（メタ）アクリレート、５−エチルオクタデシル（メタ）アクリレート、３−イソプロピルオクタデシル（メタ）アクリレート、オクタデシル（メタ）アクリレート、ノナデシル（メタ）アクリレート、エイコシル（メタ）アクリレート、セチルエイコシル（メタ）アクリレート、ステアリルエイコシル（メタ）アクリレート、ドコシル（メタ）アクリレートおよび／またはエイコシルテトラトリアコンチル（メタ）アクリレートなどの、アルキル基に少なくとも７個の炭素原子を有し、飽和アルコールに由来する（メタ）アクリレート；３−ビニルシクロヘキシル（メタ）アクリレートなどのシクロアルキル（メタ）アクリレート、ボルニル（メタ）アクリレート、２，４，５−トリ−ｔ−ブチル−３−ビニルシクロヘキシル（メタ）アクリレート、２，３，４，５−テトラ−ｔ−ブチルシクロヘキシル（メタ）アクリレートなどのシクロアルキル（メタ）アクリレート；Ｎ−（メタクリロイルオキシエチル）ジイソブチルケチミン、Ｎ−（メタクリロイルオキシエチル）ジヘキサデシルケチミン、メタクリロイルアミドアセトニトリル、２−メタクリロイルオキシエチルメチルシアンアミド、シアノメチルメタクリレートなどの（メタ）アクリル酸のニトリルおよび他の窒素含有メタクリレート；アリール基の各々を非置換とするか、または４回まで置換することが可能であるベンジル（メタ）アクリレートまたはフェニル（メタ）アクリレートなどのアリール（メタ）アクリレート；２つ以上の（メタ）アクリル基を含む（メタ）アクリレート、エチレングリコールジ（メタ）アクリレート、ジエチレングリコールジ（メタ）アクリレート、トリエチレングリコールジ（メタ）アクリレート、テトラおよびポリエチレングリコールジ（メタ）アクリレートなどのグリコールジ（メタ）アクリレート、１，３−ブタンジオール（メタ）アクリレート、１，４−ブタンジオール（メタ）アクリレート、１，６−ヘキサンジオールジ（メタ）アクリレート、グリセロールジ（メタ）アクリレート；エトキシ化ビスフェノールＡのジメタクリレート；グリセロールトリ（メタ）アクリレート、トリメチロールプロパントリ（メタ）アクリレート、ペンタエリスリトールテトラ（メタ）アクリレートおよびジペンタエリスリトールペンタ（メタ）アクリレートなどの、３つ以上の二重結合を有する（メタ）アクリレート；例えば塩化ビニル、フッ化ビニル、塩化ビニリデンおよびフッ化ビニリデンなどのハロゲン化ビニル；２−（１−イミダゾリル）エチル（メタ）アクリレート、２−（４−モルホリニル）エチル（メタ）アクリレートおよび１−（２−メタクリロイルオキシエチル）−２−ピロリドンなどの複素環式（メタ）アクリレート；
酢酸ビニルなどのビニルエステル；
スチレン、例えばα−メチルスチレンおよびβ−エチルスチレンなどの、側鎖にアルキル置換基を有する置換スチレン、ビニルトルエンおよびｐ−メチルスチレンなどの、環上にアルキル置換基を有する置換スチレン、例えばモノクロロスチレン、ジクロロスチレン、トリブロモスチレンおよびテトラブロモスチレンなどのハロゲン化スチレン；
２−ビニルピリジン、３−ビニルピリジン、２−メチル−５−ビニルピリジン、３−エチル−４−ビニルピリジン、２，３−ジメチル−５−ビニルピリジン、ビニルピリミジン、ビニルピペリジン、９−ビニルカルバゾール、３−ビニルカルバゾール、４−ビニルカルバゾール、１−ビニルイミダゾール、２−メチル−１−ビニルイミダゾール、Ｎ−ビニルピロリドン、２−ビニルピロリドン、Ｎ−ビニルピロリジン、３−ビニルピロリジン、Ｎ−ビニルカプロラクタム、Ｎ−ビニルブチロラクタム、ビニルオキソラン、ビニルフラン、ビニルチオフェン、ビニルチオラン、ビニルチアゾールおよび水素化ビニルチアゾールなどの複素環式ビニル化合物、ビニルオキサゾールおよび水素化ビニルオキサゾール；
ビニルエーテルおよびイソプレニルエーテル；
例えば無水マレイン酸などのマレイン酸誘導体、マレイン酸のエステル、例えば、マレイン酸ジメチル、無水メチルマレイン酸、マレイミド、メチルマレイミド；ならびにフマル酸ジメチルなどのフマル酸誘導体が挙げられる。
【００５０】
コモノマーから誘導される単位の比率を意図する用途および重合体の特性のプロファイルに従って変えることができる。概して、この比率を、（メタ）アクリレートセグメントの全質量に対して、０質量％〜４５質量％、好ましくは２質量％〜３０質量％、より好ましくは３質量％〜１０質量％の範囲内とすることができる。
【００５１】
特に、塗料材料および／または乳化重合体におけるスチレンモノマーの比率の低減により塗料の耐候性を向上させることができるため、特にＵＶ安定性塗料を、スチレンのない塗料材料によって得ることができる。本発明の特定の変形形態によれば、少なくとも１つの（メタ）アクリレートセグメントを有する乳化重合体は、スチレン、側鎖にアルキル置換基を有する置換スチレン、環上にアルキル置換基を有する置換スチレンおよび／またはハロゲン化スチレンから誘導された好ましくは３０質量％を超えない、より好ましくは１５質量％を超えない単位を（メタ）アクリレートセグメントの全質量に対して含む。
【００５２】
特に、少なくとも１つの（メタ）アクリレートセグメントを有する乳化重合体が、飽和脂肪酸と、アルコール残基に反応性基を有する少なくとも１つの（メタ）アクリレートとを反応させることによって得られるメタ（アクリレート）から誘導された１０質量％を超えない単位を（メタ）アクリレートセグメントの全質量に対して含む場合は、特に耐引っ掻き性および耐溶剤性の塗料を得ることができる。特に、飽和脂肪酸と、アルコール残基に反応性基を有する少なくとも１つの（メタ）アクリレートとを反応させることによって得られる（メタ）アクリレートから誘導された好ましくは０．０５質量％〜５質量％、より好ましくは０．１質量％〜３質量％の単位を（メタ）アクリレートセグメントの全質量に対して含む乳化重合体を有するこれらの塗料によって驚くべき向上が示される。この点において、好ましくは、アルコール残基に反応性基を有する（メタ）アクリレートとしてグリシジル（メタ）アクリレートを使用することが可能である。アルコール残基に少なくとも１つの反応性基を含む（メタ）アクリレート、好ましくはグリシジル（メタ）アクリレートと反応することができる飽和脂肪酸は、１０〜２６個、より好ましくは１２〜２２個の炭素原子を含む。１０〜２６個の炭素原子を有する飽和脂肪酸としては、特に、カプリル酸、カプリン酸、ラウリン酸、ミリスチン酸、パルミチン酸、マルガリン酸、アラキドン酸、ベヘン酸、リグノセリン酸、セロチン酸、パルミトレイン酸およびステアリン酸が挙げられる。
【００５３】
好ましくは、乳化重合体は、２０℃でテトラヒドロフラン（ＴＨＦ）に溶解可能な乳化重合体の質量に対して、２質量％〜６０質量％、より好ましくは１０質量％〜５０質量％、非常に好ましくは２０質量％〜４０質量％であり得る。該可溶部を測定するために、酸素の不在下で乾燥させた、少なくとも１つの（メタ）アクリレートセグメントを有する重合体のサンプルを、サンプルの質量に対して２００倍の量の溶媒中にて２０℃で４時間貯蔵する。酸素が存在しないようにするために、サンプルを、例えば窒素下または減圧下で乾燥させることができる。続いて、溶液を濾過によって例えば不溶部から分離する。溶媒を蒸発させた後、残渣の質量を測定する。例えば、減圧下で乾燥された乳化重合体の０．５ｇサンプルを１５０ｍｌのＴＨＦ中で４時間貯蔵することができる。
【００５４】
本発明の１つの好適な変形形態によれば、乳化重合体は、２０℃にてテトラヒドロフラン（ＴＨＦ）中で少なくとも１０００％、より好ましくは少なくとも１４００％、非常に好ましくは少なくとも１６００％の膨潤度を示すことができる。膨潤度の上限は、それ自体重要でなく、膨潤度は、好ましくは５０００％を超えず、より好ましくは３０００％を超えず、非常に好ましくは２５００％を超えない。膨潤度を測定するために、酸素の不在下で乾燥させた、乳化重合体のサンプルを２００倍の量のＴＨＦ中にて２０度で４時間貯蔵する。結果として、サンプルが膨潤する。膨潤サンプルを上澄み溶媒から分離する。続いて、溶媒をサンプルから除去する。例えば、溶媒の大部分を室温（２０℃）で蒸発させることができる。溶媒残渣を、一般には１時間にわたって、乾燥オーブン（１４０℃）にて除去することができる。サンプルに吸収された溶媒の質量と、乾燥サンプルの質量とから膨潤度を求める。また、膨潤実験前のサンプルの質量と膨潤実験後の乾燥サンプルの質量との差によって、乳化重合体の可溶部が求められる。
【００５５】
乳化重合体の粒子半径は、少なくとも５０ｎｍである。粒子の半径は、好ましくは、６０ｎｍ〜５００ｎｍ、より好ましくは７０〜１５０ｎｍ、非常に好ましくは７５〜１００ｎｍの範囲にある。粒子の半径をＰＣＳ（光子相関分光）によって測定することができ、得られたデータは、ｄ５０値に関連する（粒子の５０％がより小さく、５０％がより大きい）。これを、例えば、Ｂｅｃｋｍａｎ  Ｃｏｕｌｔｅｒ  Ｎ５  Ｓｕｂｍｉｃｒｏｎ  Ｐａｒｔｉｃｌｅ  Ｓｉｚｅ  Ａｎａｌｙｚｅｒを使用して実施することができる。
【００５６】
（メタ）アクリレートセグメントのガラス転移温度は、好ましくは、−３０℃〜７０℃の範囲、より好ましくは−２０〜４０℃の範囲、非常に好ましくは０〜２５℃の範囲にある。ガラス転移温度は、（メタ）アクリレートセグメントを製造するのに使用されるモノマーの性質および比率に左右され得る。重合体のガラス転移温度Ｔｇを示差走査熱分析（ＤＳＣ）により既知の方法で測定することができる。さらに、ガラス転移温度Ｔｇをフォックス方程式によって予め近似的に計算することができる。Ｆｏｘ  Ｔ．Ｇ．，Ｂｕｌｌ．Ａｍ．Ｐｈｙｓｉｃｓ  Ｓｏｃ．１，３，ｐａｇｅ  １２３（１９５６）によれば、
【数１】
2010540762.tif 000004
［ｘnは、モノマーｎの質量分率（質量％／１００）を表し、Ｔｇnは、モノマーｎの単独重合体のケルビン単位のガラス転移温度を示す］が成り立つ。当業者は、たいていの一般的な単独重合体のＴｇを示すＰｏｌｙｍｅｒ  Ｈａｎｄｂｏｏｋ，２ｎｄ  Ｅｄｉｔｉｏｎ，Ｊ．Ｗｉｌｅｙ  ＆  Ｓｏｎｓ，Ｎｅｗ  Ｙｏｒｋ（１９５７）にさらなる有用な情報を見いだすことができる。
【００５７】
多くの用途および特性について、乳化重合体／（メタ）アクリレートセグメントの構造は重要でない。よって、乳化重合体／（メタ）アクリレートセグメントは、ランダム共重合体、勾配共重合体、ブロック共重合体および／またはグラフト共重合体を含むことができる。例えば、連鎖成長時にモノマー組成を不連続的に変化させることによってブロック共重合体および勾配共重合体を得ることができる。本発明の１つの好適な態様によれば、乳化重合体は、重合の過程でモノマー組成が実質的に一定であるランダム共重合体を含む。しかし、モノマーは、異なる共重合体パラメータを有することができるため、厳密な組成は、乳化重合体／（メタ）アクリレートセグメントの重合体鎖において変動し得る。
【００５８】
乳化重合体は、例えば、水性分散液において、一貫した組成を有する粒子を形成する均質な重合体を構成することができる。この場合、乳化重合体は、アルキル基に少なくとも１つの二重結合および８〜４０個の炭素原子を有する（メタ）アクリレートから誘導された１質量％〜３０質量％の単位と、酸基含有モノマーから誘導された０．１質量％〜１０質量％の単位と、アルキル基に１〜６個の炭素原子を有する（メタ）アクリレートから誘導された５０質量％〜９８．９質量％の単位とを（メタ）アクリレートセグメントの質量に対して含む１つ以上の（メタ）アクリレートセグメントで構成されてよい。
【００５９】
別の実施形態によれば、乳化重合体は、１つ、２つまたは３つ以上のシェルを有することができるコア−シェル重合体を構成することができる。この場合、（メタ）アクリレートセグメントは、好ましくは、コア−シェル重合体の最外シェルを形成する。シェルを共有結合によってコアまたは内部シェルに結合することができる。さらに、シェルをコア上または内部シェル上に重合することができる。本実施形態において、（メタ）アクリレートセグメントを、多くの場合に、好適な溶媒によってコアから分離および隔離することができる。
【００６０】
（メタ）アクリレートセグメントのコアに対する質量比は、好ましくは２：１〜１：６、より好ましくは１：１〜１：３の範囲であってよい。
【００６１】
コアを、好ましくは、（メタ）アクリレートから誘導された５０質量％〜１００質量％、好ましくは６０質量％〜９０質量％の単位を含む重合体で形成することができる。ここで、そのアルコール残基が好ましくは１〜３０個の炭素原子、より好ましくは１〜２０個の炭素原子、非常に好ましくは１〜１０個の炭素原子を含む（メタ）アクリル酸のエステルが好ましい。当該（メタ）アクリレートとしては、特に、メチル（メタ）アクリレート、エチル（メタ）アクリレート、ｎ−プロピル（メタ）アクリレート、イソプロピル（メタ）アクリレート、ｎ−ブチル（メタ）アクリレート、ｔｅｒｔ−ブチル（メタ）アクリレート、ペンチル（メタ）アクリレートおよびヘキシル（メタ）アクリレートなどの、飽和アルコールに由来する（メタ）アクリレートが挙げられる。
【００６２】
本発明の１つの特定の実施形態によれば、メタクリレートおよびアクリレートを含む混合物を使用してコアを製造することができる。したがって、特に、エチルアクリレート、ブチルアクリレートおよびヘキシルアクリレートなどの、２〜６個の炭素原子を有するメチルメタクリレートとアクリレートの混合物を使用することが可能である。
【００６３】
また、コアの重合体は、上記の成分を含むことができる。１つの好適な変形形態によれば、コアを架橋することができる。この架橋を、２つ、または３つ以上の遊離基重合性二重結合を有するモノマーの使用を通じて達成することができる。
【００６４】
（メタ）アクリレートセグメントを含む本発明の乳化重合体のシェルは、アルキル基に少なくとも１つの二重結合および８〜４０個の炭素原子を有する（メタ）アクリレートから誘導された好ましくは１５質量％〜２８質量％の単位を含むことができる。
【００６５】
１つの特定の態様によれば、コアは、好ましくは、−３０〜２００℃の範囲、より好ましくは−２０〜１５０℃の範囲のガラス転移温度を有することができる。好ましくは本発明の乳化重合体の（メタ）アクリレートセグメントによって形成されるシェルは、好ましくは、−３０℃〜７０℃の範囲、より好ましくは−２０〜４０℃の範囲、非常に好ましくは０〜２５℃の範囲のガラス転移温度を有することができる。本発明の１つの特定の態様によれば、コアのガラス転移温度は、シェルのガラス転移温度より高くてよい。適切には、コアのガラス転移温度は、シェルのガラス転移温度より少なくとも１０℃、好ましくは少なくとも２０℃高くてよい。
【００６６】
本発明の乳化重合体のヨウ素価は、ＤＩＮ５３２４１−１に従って測定した場合に、好ましくは、乳化重合体１００ｇ当たりヨウ素１〜１５０ｇの範囲、より好ましくは乳化重合体１００ｇ当たりヨウ素２〜１００ｇの範囲、非常に好ましくは乳化重合体１００ｇ当たりヨウ素５〜４０ｇである。特に、ヨウ素価を本発明の分散液に基づいて測定することができる。
【００６７】
適切には、乳化重合体は、０．１〜４０ｍｇ  ＫＯＨ／ｇの範囲、好ましくは１〜２０ｍｇ  ＫＯＨ／ｇ、非常に好ましくは２〜１０ｍｇ  ＫＯＨ／ｇの範囲の酸価を有することができる。酸価を分散液からＤＩＮ  ＥＮ  ＩＳＯ２１１４に従って測定することができる。
【００６８】
乳化重合体のヒドロキシル価は、好ましくは０〜２００ｍｇ  ＫＯＨ／ｇの範囲、より好ましくは１〜１００ｍｇ  ＫＯＨ／ｇ、非常に好ましくは３〜５０ｍｇ  ＫＯＨ／ｇの範囲にあり得る。ヒドロキシル価を分散液からＡＳＴＭ  Ｅ２２２に従って測定することができる。
【００６９】
本発明の乳化重合体を、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，Ｆｉｆｔｈ  Ｅｄｉｔｉｏｎを含む出典に記載されている既知の乳化重合法によって得ることができる。これを実施するために、一般的な手法は、水とともに典型的な添加剤、特に、乳化を安定化させるための乳化剤および保護コロイドを含むことができる水相を製造することである。
【００７０】
次いで、水相をモノマーと混合し、水相で重合を実施する。均質な重合体粒子を製造する場合は、ここでモノマー混合物をバッチ式で、またはある時間にわたって連続的に添加することが可能である。
【００７１】
水相におけるモノマー相の分散は、既知の薬剤を使用して実施され得る。これらとしては、特に、機械的方法および超音波の利用が挙げられる。
【００７２】
本発明の乳化重合体を製造するためのモノマー混合物は、好ましくは、アルカリ基において少なくとも１つの二重結合および８〜４０個の炭素原子を有する１質量％〜３０質量％の（メタ）アクリレートと、０．１質量％〜１０質量％の酸基含有モノマーと、アルキル基に１〜６個の炭素原子を有する５０質量％〜９８．９質量％の（メタ）アクリレートとを含む。
【００７３】
モノマー混合物は、より好ましくは、１質量％〜５質量％の酸基含有モノマーを含む。
【００７４】
均質の乳化重合体の製造において、好ましくは、アルキル基に少なくとも１つの二重結合および８〜４０個の炭素原子を有する１０質量％〜２０質量％の（メタ）アクリレートを含むモノマー混合物を使用することが可能である。
【００７５】
コア−シェル重合体を製造する場合は、モノマー混合物の組成を段階的に変化させることが可能であり、重合は、好ましくは、組成が変化する前に、それぞれの場合、使用されるモノマー混合物の全質量に対して少なくとも８０質量％、より好ましくは少なくとも９５質量％の変換率まで実施される。ここで、コア−シェル重合体は、二段または多段乳化重合によって製造された重合体を指し、コア−シェル構造は、例えば、電子顕微鏡法によって示されていない。各工程における重合反応の進行状況の監視を、例えば、質量測定法またはガスクロマトグラフィーなどの既知の方法で実施することができる。
【００７６】
コアを製造するためのモノマー混合物は、好ましくは、５０質量％〜１００質量％の（メタ）アクリレートを含み、アクリレートとメタクリレートの混合物を使用するのが特に好ましい。コアが製造された後に、アルキル基に少なくとも１つの二重結合および８〜４０個の炭素原子を有する１５質量％〜２８質量％の（メタ）アクリレートを含むモノマー混合物をコア上にグラフトまたは重合することが可能である。
【００７７】
乳化重合は、好ましくは、０〜１２０℃の範囲、より好ましくは３０〜１００℃の範囲の温度で実施される。この点において特に好適であることが証明された重合温度は、６０℃より高く９０℃より低い範囲、適切には７０℃より高く８５℃より低い範囲、好ましくは７５℃より高く８５℃より低い範囲の温度である。
【００７８】
重合は、乳化重合について慣習的である開始剤を用いて開始される。好適な有機開始剤は、例えば、ｔｅｒｔ−ブチルヒドロ過酸化物またはクメンヒドロ過酸化物などのヒドロ過酸化物である。好適な無機開始剤は、過酸化水素ならびにペルオキソ二硫酸のアルカリ金属塩およびアンモニウム塩、特に、ペルオキソ二硫酸アンモニウム、ナトリウムおよびカリウムである。好適なレドックス開始剤系は、例えば、三級アミンと、過酸化物または二亜硫酸ナトリウムならびにペルオキソ二硫酸のアルカリ金属塩およびアンモニウム塩、特にペルオキソ二硫酸ナトリウムおよびカリウムとの組合せである。さらなる詳細を技術文献、特に、Ｈ．Ｒａｕｃｈ−Ｐｕｎｔｉｇａｍ，Ｔｈ．Ｖｏｅｌｋｅｒ，"Ａｃｒｙｌ−ｕｎｄ  Ｍｅｔｈａｃｒｙｌｖｅｒｂｉｎｄｕｎｇｅｎ"，Ｓｐｒｉｎｇｅｒ，Ｈｅｉｄｅｌｂｅｒｇ，１９６７またはＫｉｒｋ−Ｏｔｈｍｅｒ，Ｅｎｃｙｃｌｏｐａｅｄｉａ  ｏｆ  Ｃｈｅｍｉｃａｌ  Ｔｅｃｈｎｏｌｏｇｙ，Ｖｏｌ．１，ｐａｇｅｓ  ３８６ｆｆ，Ｊ．Ｗｉｌｅｙ，Ｎｅｗ  Ｙｏｒｋ，１９７８から把握することができる。有機および／または無機開始剤を使用することが、本発明の観点で特に好ましい。
【００７９】
記載の開始剤を個々に使用しても混合物で使用してもよい。それらは、好ましくは、それぞれの段階のモノマーの全質量に対して０．０５質量％〜３．０質量％の量で使用される。好ましくは、遊離基の流量を重合の過程にわたって一定に維持するために、異なる半減期を有する異なる重合開始剤の混合物を用いて、かつ異なる重合温度で重合を実施することが可能である。
【００８０】
バッチの安定化は、好ましくは、乳化剤および／または保護コロイドを利用して達成される。分散液は、低分散粘度を得るために、好ましくは乳化剤によって安定化される。乳化剤の全量は、使用されるモノマーの全質量に対して、好ましくは０．１質量％〜１５質量％、より好ましくは１質量％〜１０質量％、より好ましくは２質量％〜５質量％である。本発明の１つの特定の態様によれば、重合中に乳化剤の一部を添加することが可能である。
【００８１】
特に好適な乳化剤は、陰イオン性または非イオン性乳化剤またはそれらの混合物、特に、
−アルキル硫酸塩、好ましくは、アルキル基に８〜１８個の炭素原子を有するアルキル硫酸塩、アルキル基に８〜１８個の炭素原子を有するとともに、１〜５０個のエチレンオキシド単位を有するアルキルおよびアルキルアリールエーテル硫酸塩；
−スルホン酸塩、好ましくは、アルキル基に８〜１８個の炭素原子を有するアルキルスルホン酸塩、アルキル基に８〜１８個の炭素原子を有するアルキルアリールスルホン酸塩、スルホコハク酸と、一価アルコール、またはアルキル基に４〜１５個の炭素原子を有するアルキルフェノールとのジエステルおよびモノエステル（適宜、これらのアルコールまたはアルキルフェノールは、１〜４０個のエチレンオキシド単位でエトキシ化されていてもよい）；
−リン酸部分エステルならびにそれらのアルカリ金属およびアンモニウム塩、好ましくは、アルキルまたはアルキルアリール基に８〜２０個の炭素原子を有するとともに、１〜５個のエチレンオキシド単位を有するアルキルおよびアルキルアリールリン酸エステル；
−好ましくは、アルキル基に８〜２０個の炭素原子を有するとともに、８〜４０個のエチレンオキシド単位を有するアルキルポリグリコールエーテル；
−好ましくは、アルキルまたはアルキルアリール基に８〜２０個の炭素原子を有するとともに、８〜４０個のエチレンオキシド単位を有するアルキルアリールポリグリコールエーテル；
−好ましくは、８〜４０個のエチレンおよび／またはプロピレンオキシド単位を有するエチレンオキシド／プロピレンオキシド共重合体、好ましくはブロック共重合体である。
【００８２】
特に好適な非イオン性乳化剤としては、特に、脂肪アルコールエーテル硫酸塩、スルホコハク酸ジイソオクチル、硫酸ラウリル、Ｃ１５−パラフィンスルホン酸塩が挙げられ、これらの化合物を一般にはアルカリ金属塩、より好ましくはナトリウム塩の形で使用することが可能である。これらの化合物を、特に、Ｃｏｇｎｉｓ  ＧｍｂＨ、Ｃｙｔｅｃ  Ｉｎｄｕｓｔｒｉｅｓ，Ｉｎｃ．およびＢａｙｅｒ  ＡＧの商品名Ｄｉｓｐｏｎｉ（登録商標）ＦＥＳ３２、Ａｅｒｏｚｏｌ（登録商標）ＯＴ７５、Ｔｅｘａｐｏｎ（登録商標）Ｋ１２９６およびＳｔａｔｅｘａｎ（登録商標）Ｋ１で商業的に得ることができる。
【００８３】
適切な非イオン性乳化剤としては、３０個のエチレンオキシド単位を有するｔｅｒｔ−オクチルフェノールエトキシレート、および好ましくはアルキル基に８〜２０個の炭素原子を有するとともに８〜４０個のエチレンオキシド単位を有する脂肪アルコールポリエチレングリコールエーテルが挙げられる。これらの乳化剤は、商品名Ｔｒｉｔｏｎ（登録商標）Ｘ３０５（Ｆｌｕｋａ）、Ｔｅｒｇｉｔｏｌ（登録商標）１５−Ｓ−７（Ｓｉｇｍａ−Ａｌｄｒｉｃｈ  Ｃｏ．）、Ｍａｒｌｉｐａｌ（登録商標）１６１８／２５（Ｓａｓｏｌ  Ｇｅｒｍａｎｙ）およびＭａｒｌｉｐａｌ（登録商標）Ｏ１３／４００（Ｓａｓｏｌ  Ｇｅｒｍａｎｙ）で商業的に入手可能である。
【００８４】
好ましくは、陰イオン性乳化剤と非イオン性乳化剤との混合物を使用することが可能である。陰イオン性乳化剤の非イオン性乳化剤に対する質量比は、適切には、２０：１〜１：２０、好ましくは２：１〜１：１０、より好ましくは１：１〜１：５の範囲であり得る。特に適切であることが証明された混合物は、陰イオン性乳化剤として、硫酸塩、特に、脂肪アルコールエーテル硫酸塩、硫酸ラウリル、またはスルホン酸塩、特にスルホコハク酸ジイソオクチルもしくはパラフィンスルホン酸塩、ならびに非イオン性乳化剤として、それぞれの場合、好ましくはあるキル基に８〜２０個の炭素原子を有するとともに８〜４０個のエチレンオキシド単位を有するアルキルフェノールエトキシレートまたは脂肪アルコールポリエチレングリコールエーテルを含むものである。
【００８５】
適宜、乳化剤を保護コロイドの混合物に使用することもできる。好適な保護コロイドとしては、部分加水分解ポリ酢酸ビニル、ポリビニルピロリドン、カルボキシメチル−、メチル−、ヒドロキシエチルおよびヒドロキシプロピル−セルロース、デンプン、タンパク質、ポリ（メタ）アクリル酸、ポリ（メタ）アクリルアミド、ポリビニルスルホン酸、メラミン−ホルムアルデヒドスルホン酸塩、ナフタレン−ホルムアルデヒドスルホン酸塩、スチレン−マレイン酸ならびにビニルエーテル−マレイン酸共重合体が挙げられる。保護コロイドが使用される場合は、それらは、モノマーの全量に対して好ましくは０．０１〜１０質量％の量で使用される。保護コロイドを重合の開始前の初期充填物に含めるか、または計量しながら供給することができる。開始剤を初期充填物に含めるか、または計量しながら供給することができる。また、初期充填物に開始剤の一部を含め、残りを計量しながら供給することも可能である。
【００８６】
重合は、好ましくは、バッチを重合温度に加熱し、開始剤を計量しながら好ましくは水溶液で供給することによって開始される。乳化剤およびモノマーの計量供給を個別に、または混合物として実施することができる。乳化剤とモノマーの混合物の計量添加の場合は、乳化剤とモノマーを重合反応器の上流のミキサーで予め混合する手法が採用される。好ましくは、初期充填物に含まれなかった乳化剤およびモノマーの残りは、重合開始後に、互いに個別に計量しながら供給される。好ましくは、重合開始の１５〜３５分後に計量供給を開始することが可能である。
【００８７】
不溶性重合体の比率が高い乳化重合体を上記の方法で得ることができ、高分子量を得るための反応パラメータは既知である。したがって、特にこの点において、分子量調節器の使用を省略することが可能である。
【００８８】
粒子半径の調整に影響を与えることができる方法の１つは、乳化剤の比率を介するものである。特に重合の開始点において、この比率が高いほど、得られる粒子が小さくなる。
【００８９】
本発明の方法によって得られた水性分散液を塗料材料として使用することができる。よって、水性分散液は本発明のさらなる目的である。水性分散液は、好ましくは、１０質量％〜７０質量％、より好ましくは２０質量％〜６０質量％の範囲の固形分を有する。分散液は適切には、２５℃でＤＩＮ  ＥＮ  ＩＳＯ２５５５に従って測定された０．１〜１８０ｍＰａｓ、好ましくは１〜８０ｍＰａｓ、非常に好ましくは５〜２０ｍＰａｓの範囲内である動粘度を有する（Ｂｒｏｏｋｆｉｅｌｄ）。
【００９０】
また、本発明の水性分散液を、塗料材料の特性を特定の要件に適応させるための添加剤またはさらなる成分を用いて既知の方法で提供することができる。これらの追加的な物質としては、特に、乾燥剤として既知の乾燥助剤、流動促進剤、顔料および染料が上げられる。
【００９１】
本発明の塗料材料は、ＤＩＮ  ＩＳＯ２１１５に従って測定することができる温度である最小成膜温度が好ましくは５０℃を超えず、特に好ましくは３５℃を超えず、非常に好ましくは２５℃を超えない。
【００９２】
特に好ましくは、乾燥剤を水性分散液に添加することが可能である。これらの乾燥剤としては、特に、例えばコバルト、マンガン、鉛およびジルコニウムなどの遷移金属；例えばリチウム、カリウムおよびカルシウムなどのアルカリ金属またはアルカリ土類金属の金属石鹸を例とする有機金属化合物が挙げられる。挙げることができる例は、ナフタレン酸コバルトおよび酢酸コバルトを含む。乾燥剤を個々に、または混合物として使用することができ、その場合は、特に、コバルト塩、ジルコニウム塩およびリチウム塩を含む混合物が特に好ましい。
【００９３】
本発明の水性分散液を、特に、塗料材料として、またはそれらのための添加剤として使用することができる。当該材料としては、特に、ペンキおよびワニス、含浸組成物、接着剤および／または下塗り剤系が挙げられる。特に好ましくは、木材および／または金属上に塗布するためのペンキ、ワニスまたは含浸組成物を製造するのに水性分散液を採用することができる。
【００９４】
本発明の塗料材料から得られる塗料は、高い耐溶剤性を示し、特に、溶媒によって塗料から溶解する部分はごく少量である。好適な塗料は、特に、メチルイソブチルケトン（ＭＩＢＫ）に対して高い抵抗性を示す。したがって、ＭＩＢＫでの処理後の質量減少は、好ましくは５０質量％を超えず、より好ましくは３５質量％を超えない。ＭＩＢＫの吸収量は、採用される塗料の質量に対して、好ましくは３００質量％を超えず、特に好ましくは２５０質量％を超えない。これらの値は約２５℃の温度で少なくとも４時間の曝露時間にわたって測定され、測定される塗料は、十分に乾燥された塗料である。この乾燥は、架橋させるために、酸素の存在下、例えば空気中で行われる。
【００９５】
本発明の塗料材料から得られた塗料は、高い機械安定性を示す。ＤＩＮ  ＩＳＯ１５２２に従って測定される振り子硬度は、好ましくは少なくとも２０ｓ、より好ましくは少なくとも２５ｓである。
【００９６】
実施例および比較例を参照しながら本発明を以下に詳細に説明するが、それによって本発明を限定することを意図するものではない。
【００９７】
実施例１
最初に、２ＬのＰＥビーカーにおいて、１７２ｇのブチルアクリレート（ＢＡ）、１２８ｇのメチルメタクリレート（ＭＭＡ）、８０ｇのメタクリロイルオキシ−２−ヒドロキシプロピル−リノール酸エステル、２０ｇのメタクリル酸（ＭＡＡ）、１．２ｇのペルオキソ二硫酸アンモニウム（ＡＰＳ）、１２．０ｇのＤｉｓｐｏｎｉｌ  ＦＥＳ（３０％型）および３５９．１８ｇの水を、Ｕｌｔｒａ−Ｔｕｒｒａｘを使用して４０００ｒｐｍで３分間乳化させた。リノール酸とグリシジルメタクリレートとを反応させることによって、メタクリロイルオキシ−２−ヒドロキシプロピル−リノール酸エステルを得た。
【００９８】
水浴加熱装置を有し、ブレード攪拌機を備えた２Ｌのガラス反応器に２３０ｇの水および０．３ｇのＤｉｓｐｏｎｉｌ  ＦＥＳ３２（３０％型）を充填し、この初期充填物を８０℃に加熱し、１０ｇの水中０．３ｇのペルオキソ二硫酸アンモニウム（ＡＰＳ）溶液と混合した。ＡＰＳの添加の５分後に、予め製造したエマルジョンを２４０分間にわたって計量しながら供給した（間隔：３分間供給し、４分間休止し、残りを２７３分間にわたって供給した）。
【００９９】
供給終了後に、バッチを８０℃で１時間撹拌した。その後、それを室温まで冷却し、分散液を、０．０９ｍｍのメッシュサイズのＶＡスクリーン布を通じて濾過した。
【０１００】
製造したエマルジョンは、固形分が４０±１％であり、ｐＨが２．６であり、粘度が１５ｍＰａｓであり、ｒN5値が８３ｎｍであった。
【０１０１】
続いて、乳化重合体のＴＨＦ中の膨潤率およびそこでの可溶率を確認した。これを、２０℃にて減圧下で乳化重合体のサンプルを乾燥させることによって実施した。乾燥サンプルは、質量が０．４６２ｇであった。このサンプルを１５０ｍｌのＴＨＦ中で４時間にわたって貯蔵した後、膨潤したサンプルを布メッシュ（メッシュサイズ０．０９ｍｍ）上で分離した。膨潤したサンプルの質量は、５．７９５ｇであり、該サンプルを最初に室温で乾燥させ、続いて乾燥オーブンで乾燥させた。乾燥サンプルの質量は０．３３２ｇであった。これは、（０．４６２−０．３３２）／０．４６２*１００＝２８．１％の可溶率を示す。膨潤度は、（５．９７５−０．３３２）／０．３３２*１００＝１６４５％であった。
【０１０２】
得られた塗料材料の特性を様々な方法によって調べた。この目的のために、乾燥膜に対して、耐溶剤性、吸水性および耐引っ掻き性に関する実験を実施した。
【０１０３】
メチルイソブチルケトン（ＭＩＢＫ）を使用して耐溶剤性を測定し、サンプルをＭＩＢＫで室温にて４時間膨潤させた。その後、サンプルを溶媒から取り出し、過剰の溶媒を除去した。続いて、溶媒を約１４０℃で１時間乾燥させた。溶媒によって除去されたサンプルの比率を質量減少量から計算した。
【０１０４】
未処理の固形松果体の試料（寸法：４５〜５０ｍｍ×４５〜５０ｍｍ×１７ｍｍ）を使用して吸水性を測定することができる。試料にワニスの層を設け、塗装面のみを水に接触させるようにして室温で水に浸した。吸水性を試料の質量増加量から計算する。
【０１０５】
典型的には、耐引っ掻き性の測度になる塗料の硬度を鉛筆硬度試験および振り子試験で調べた。典型的には、塗料の機械強度の測度になる膜の引張強度をＤＩＮ  ＥＮ  ＩＳＯ５２７、第３部に従って測定した。
【０１０６】
得られた結果を第１表に示す。
【０１０７】
実施例２
８０ｇのメタクリロイルオキシ−２−ヒドロキシプロピル−オレイン酸エステルを使用したこと以外は、実質的に実施例１を繰り返した。メタクリロイルオキシ−２−ヒドロキシプロピルオレイン酸エステルをオレイン酸とグリシジルメタクリレートとの反応によって得た。
【０１０８】
製造したエマルジョンは、固形分が４０±１％であり、ｐＨが２．５であり、粘度が１６ｍＰａｓであり、ｒn5値が７１ｎｍであった。
【０１０９】
上記の分析方法を用いて得られた結果を第１表に示す。
【０１１０】
比較の目的で、商業的に入手可能なアルキド樹脂を調べた。比較例１の調査は、Ｅ１５０Ｗの名称でＷｏｒｌｅｅから商業的に入手可能なアルキド樹脂の調査であり、比較例２の調査は、ＩＣＩが販売するＸｙｌａｄｅｃｏｒの調査であった。
【０１１１】
得られた結果を第１表に示す。
【０１１２】
比較例３
最初に、２ＬのＰＥビーカーにおいて、２１６ｇのブチルアクリレート（ＢＡ）、１８０ｇのメチルメタクリレート（ＭＭＡ）、４ｇのメタクリル酸（ＭＡＡ）、１．２ｇのペルオキソ二硫酸アンモニウム（ＡＰＳ）、１２．０ｇのＤｉｓｐｏｎｉｌ  ＦＥＳ（３０％型）および３５９．１８ｇの水を、Ｕｌｔｒａ−Ｔｕｒｒａｘを使用して４０００ｒｐｍで３分間乳化させた。
【０１１３】
水浴加熱装置を有し、ブレード攪拌機を備えた２Ｌのガラス反応器に２３０ｇの水および０．３ｇのＤｉｓｐｏｎｉｌ  ＦＥＳ３２（３０％型）を充填し、この初期充填物を８０℃に加熱し、１０ｇの水中０．３ｇのペルオキソ二硫酸アンモニウム（ＡＰＳ）溶液と混合した。ＡＰＳの添加の５分後に、予め製造したエマルジョンを２４０分間にわたって計量しながら供給した（間隔：３分間供給し、４分間休止し、残りを２７３分間にわたって供給した）。
【０１１４】
供給終了後に、バッチを８０℃で１時間撹拌した。その後、それを室温まで冷却し、分散液を、０．０９ｍｍのメッシュサイズのＶＡスクリーン布を通じて濾過した。
【０１１５】
乾燥膜に対して、耐溶剤性、吸水性および耐引っ掻き性に関する実験を実施した。
【０１１６】
第１表：特性調査の結果
【表１】
2010540762.tif 000005
【０１１７】
実施例３
ミニエマルジョン方法を介して分散液を製造して、実質的に実施例１を繰り返した。この目的で、４００ｇのブチルアセテート、３９０ｇのメチルメタクリレート、２００ｇのメタクリロイルオキシ−２−ヒドロキシプロピル−リノール酸エステルおよび１０ｇのメタクリル酸を、２０ｇのドデシル硫酸ナトリウムを用いて乳化させた。疎水性薬剤として、４％のヘキサデカンをさらに添加した。７５℃で１％のＡＩＢＮを用いて重合を開始した。得られた分散液は、ｒn5値が５１ｎｍであり、ｐＨが４．１であった。分散液から形成された塗料は、ＭＩＢＫ中質量減少が１１．７％であり、２４時間後の吸水率が２２．８％であり、引張強度が５．１ＭＰａであった。
【０１１８】
実施例４
ミニエマルジョン方法を介して分散液を製造して、実質的に実施例１を繰り返した。この目的で、４００ｇのブチルアセテート、３９０ｇのメチルメタクリレート、２００ｇのメタクリロイルオキシ−２−エチル−リノール酸エステルおよび１０ｇのメタクリル酸を、２０ｇのドデシル硫酸ナトリウムを用いて乳化させた。メタクリロイルオキシ−２−エチル−リノール酸エステルをリノール酸とヒドロキシエチルメタクリレートとの反応によって得た。疎水性薬剤として、４％のヘキサデカンをさらに添加した。７５℃で１％のＡＩＢＮを用いて重合を開始した。得られた分散液は、ｒn5値が６５ｎｍであり、ｐＨが３．９であった。分散液から形成された塗料は、ＭＩＢＫ中質量減少が１３．６％であり、２４時間後の吸水率が９．２％であり、引張強度が２．８ＭＰａであった。
【国際調査報告】
2010540762.tif 000006
2010540762.tif 000007
2010540762.tif 000008
2010540762.tif 000009